(57)【要約】【課題】ネットワークで接続された複数の拠点で出力を行う場合に、出力ミスを低減すること。【解決手段】画像情報送信装置（ＰＣ）が接続されたサブネットワーク（３，４）と、画像形成装置（Ｐｒ）が接続されたサブネットワーク（３，４）とが一致するか否かを判別するサブネットワーク一致判別手段（Ｃ５）と、前記画像情報送信装置（ＰＣ）が接続されたサブネットワーク（３，４）と、前記画像形成装置（Ｐｒ）が接続されたサブネットワーク（３，４）とが一致しない場合に、異なるサブネットワーク（３，４）に接続された前記画像形成装置（Ｐｒ）から印刷しようとしていることを前記画像情報送信装置（ＰＣ）のユーザに告知するサブネットワーク不一致告知手段（Ｃ６）とを備えたプリントシステム（Ｓ）。【選択図】図２
2007148679.tif 000002
【特許請求の範囲】
【請求項１】
下記の構成要件（Ａ01）〜（Ａ06）を備えたことを特徴とするプリントシステム、
（Ａ01）複数のサブネットワークを有するネットワークに接続され、前記ネットワークを介して画像情報を画像形成装置に送信する画像情報送信装置、
（Ａ02）前記ネットワークに接続され、前記画像情報送信装置から送信されて受信した画像情報に応じて画像形成を行う画像形成装置、
（Ａ03）前記画像情報送信装置が接続されたサブネットワークを特定する送信装置サブネットワーク特定手段、
（Ａ04）前記画像形成装置が接続されたサブネットワークを特定する画像形成装置サブネットワーク特定手段、
（Ａ05）前記画像情報送信装置が接続されたサブネットワークと、前記画像形成装置が接続されたサブネットワークとが一致するか否かを判別するサブネットワーク一致判別手段、
（Ａ06）前記画像情報送信装置が接続されたサブネットワークと、前記画像形成装置が接続されたサブネットワークとが一致しない場合に、異なるサブネットワークに接続された前記画像形成装置から印刷しようとしていることを前記画像情報送信装置のユーザに告知するサブネットワーク不一致告知手段。
【請求項２】
下記の構成要件（Ａ07）を備えたことを特徴とする請求項１に記載のプリントシステム、
（Ａ07）前記送信装置サブネットワーク特定手段、前記画像形成装置サブネットワーク特定手段、前記サブネットワーク一致判別手段および前記サブネットワーク不一致告知手段を有する前記画像情報送信装置。
【請求項３】
下記の構成要件（Ａ08），（Ａ09）を備えたことを特徴とする請求項１に記載のプリントシステム、
（Ａ08）前記サブネットワーク一致判別手段を有する前記画像形成装置であって、
前記画像情報送信装置が接続されたサブネットワークと、前記画像形成装置が接続されたサブネットワークとが一致しない場合に、前記画像情報送信装置にサブネットワーク不一致情報を送信する不一致情報送信手段を有する前記画像形成装置、
（Ａ09）前記画像形成装置から送信されたサブネットワーク不一致情報を受信する不一致情報受信手段を有し、
前記サブネットワーク不一致情報を受信した場合に、前記画像情報送信装置が接続されたサブネットワークと、前記画像形成装置が接続されたサブネットワークとが一致しない場合であると判別して、異なるサブネットワークに接続された前記画像形成装置から印刷しようとしていることを前記画像情報送信装置のユーザに告知する前記サブネットワーク不一致告知手段を有する前記画像情報送信装置。
【請求項４】
下記の構成要件（Ｂ01）〜（Ｂ07）を備えたことを特徴とする画像形成装置、
（Ｂ01）複数のサブネットワークを有するネットワークに接続された前記画像形成装置、
（Ｂ02）前記ネットワークを介して画像情報を受信する画像情報受信手段、
（Ｂ03）受信した画像情報に応じて画像形成を行う画像形成手段、
（Ｂ04）前記画像情報を送信した画像情報送信装置が接続されたサブネットワークを特定する送信装置サブネットワーク特定手段、
（Ｂ05）前記画像形成装置が接続されたサブネットワークを特定する画像形成装置サブネットワーク特定手段、
（Ｂ06）前記画像情報送信装置が接続されたサブネットワークと、前記画像形成装置が接続されたサブネットワークとが一致するか否かを判別するサブネットワーク一致判別手段、
（Ｂ07）前記画像情報送信装置が接続されたサブネットワークと、前記画像形成装置が接続されたサブネットワークとが一致しない場合に、前記画像情報送信装置にサブネットワーク不一致情報を送信する不一致情報送信手段。
【請求項５】
下記の構成要件（Ｃ01）〜（Ｃ05）を備えたことを特徴とする画像情報送信装置、
（Ｃ01）複数のサブネットワークを有するネットワークに接続され、前記ネットワークを介して画像情報を画像形成装置に送信する前記画像情報送信装置、
（Ｃ02）前記画像情報送信装置が接続されたサブネットワークを特定する送信装置サブネットワーク特定手段、
（Ｃ03）画像情報を送信する前記画像形成装置が接続されたサブネットワークを特定する画像形成装置サブネットワーク特定手段、
（Ｃ04）前記画像情報送信装置が接続されたサブネットワークと、前記画像形成装置が接続されたサブネットワークとが一致するか否かを判別するサブネットワーク一致判別手段、
（Ｃ05）前記画像情報送信装置が接続されたサブネットワークと、前記画像形成装置が接続されたサブネットワークとが一致しない場合に、異なるサブネットワークに接続された前記画像形成装置から印刷しようとしていることを前記画像情報送信装置のユーザに告知するサブネットワーク不一致告知手段。
【請求項６】
下記の構成要件（Ｃ06），（Ｃ07）を備えたことを特徴とする請求項５に記載の画像情報送信装置、
（Ｃ06）前記画像形成装置から送信された、前記画像情報送信装置が接続されたサブネットワークと前記画像形成装置が接続されたサブネットワークとが一致しないことを通知するサブネットワーク不一致情報を受信する不一致情報受信手段、
（Ｃ07）前記サブネットワーク不一致情報を受信した場合に、前記画像情報送信装置が接続されたサブネットワークと、前記画像形成装置が接続されたサブネットワークとが一致しない場合であると判別して、異なるサブネットワークに接続された前記画像形成装置から印刷しようとしていることを前記画像情報送信装置のユーザに告知する前記サブネットワーク不一致告知手段。
【請求項７】
複数のサブネットワークを有するネットワークに接続され、前記ネットワークを介して前記ネットワークに接続された画像形成装置に画像情報を送信する画像情報送信装置を、
前記画像情報送信装置が接続されたサブネットワークを特定する画像情報送信装置サブネットワーク特定手段、
前記画像形成装置が接続されたサブネットワークを特定する画像形成装置サブネットワーク特定手段、
前記画像情報送信装置が接続されたサブネットワークと、前記画像形成装置が接続されたサブネットワークとが一致するか否かを判別するサブネットワーク一致判別手段、
前記画像情報送信装置が接続されたサブネットワークと、前記画像形成装置が接続されたサブネットワークとが一致しない場合に、異なるサブネットワークに接続された前記画像形成装置から印刷しようとしていることを前記画像情報送信装置のユーザに告知するサブネットワーク不一致告知手段、
として機能させるための画像情報送信制御プログラム。
【請求項８】
前記画像情報送信装置を、
前記画像形成装置から送信された、前記画像情報送信装置が接続されたサブネットワークと前記画像形成装置が接続されたサブネットワークとが一致しないことを通知するサブネットワーク不一致情報を受信する不一致情報受信手段、
前記サブネットワーク不一致情報を受信した場合に、前記画像情報送信装置が接続されたサブネットワークと、前記画像形成装置が接続されたサブネットワークとが一致しない場合であると判別して、異なるサブネットワークに接続された前記画像形成装置から印刷しようとしていることを前記画像情報送信装置のユーザに告知する前記サブネットワーク不一致告知手段、
として機能させるための請求項７に記載の画像情報送信制御プログラム。
【発明の詳細な説明】
【技術分野】
【０００１】
本発明は、インターネット等の公衆通信回線やＬＡＮ（ローカルエリアネットワーク）等のネットワークに接続されたプリンタ、ＦＡＸ、複合機等の画像形成装置や、前記画像形成装置に画像情報を送信する画像情報送信装置、前記画像形成装置と画像情報送信装置とを有するプリントシステム、画像情報の送信を制御する画像情報送信制御プログラムに関する。特に、本発明は、複数のサブネットワークを有するネットワークに接続された前記画像形成装置、画像情報送信装置、プリントシステムおよび画像情報送信制御プログラムに関する。
【背景技術】
【０００２】
近年、会議や出張先、取引先等で、ノートパソコン等の情報処理装置を使用する機会が増加している。これに伴い、イントラネット等のネットワークで接続された部門や事業所等の拠点間でノートパソコン（画像情報送信装置）を持ってユーザが移動することが多くなっており、移動先の拠点でプリントアウトする機会も多くなっている。拠点間の移動が多いユーザは、ノートパソコンに各拠点で使用可能なプリンタ（画像形成装置）をパソコンに登録して、各拠点でプリントアウト可能にしていることが多い。この場合、ユーザが通常業務を行う拠点で使用するプリンタを「通常使用するプリンタ」に設定することが一般的であるが、他の拠点でプリントを行う際には、誤って通常業務を行っている拠点のプリンタから出力するというミスを犯すことがある。あるいは、他の拠点でプリントアウトした後、通常業務を行う拠点に戻ってきてプリントアウトする際に、他の拠点のプリンタから出力するミスを犯す可能性もある。このときプリントアウトした内容が、機密情報である場合には、機密情報漏洩の危険がある。
【０００３】
このような問題を解決することができる可能性のある技術として、以下の従来技術（Ｊ01）が公知である。
（Ｊ01）特許文献１（特開２００３−２８０８５１号公報）記載の技術
特許文献１には、パソコンが接続されたサブネットを自動的に検出し、同一サブネット上のプリンタが既にパソコンに登録されている場合には、当該プリンタを「通常使用するプリンタ」に自動的に設定する技術が記載されている。
【０００４】
【特許文献１】特開２００３−２８０８５１号公報（「００１０」〜「００１１」）
【発明の開示】
【発明が解決しようとする課題】
【０００５】
（従来技術の問題点）
前記従来技術（Ｊ01）では、ユーザが通常業務を行っていない拠点で出力（プリントアウト）する際には、その拠点のプリンタが自動的に変更されてしまう。前記従来技術（Ｊ01）のように、パソコン側で自動的にプリンタが変更されてしまうと、ユーザが設定されているプリンタをすぐに認識することができない問題がある。この状態でプリント出力を実行すると、ユーザが出力されたプリンタを探す（認識する）のに手間取り、出力された用紙を回収するまでの間に時間がかかってしまう恐れがあり、機密情報が漏洩してしまう恐れがある。
特に、通常業務を行っていない拠点では、ユーザは不案内であることが多く、登録されているプリンタでも、何処に設置されているのかがわからないことがあり、出力後、出力された用紙を回収するまでの間に時間がかかる可能性が高くなる問題がある。通常業務を行っていない拠点に複数のプリンタが設置されている場合には、特に混乱しやすくなり、情報漏洩の危険性が高まる。
【０００６】
本発明は、前述の事情に鑑み、次の記載内容（Ｏ01）を技術的課題とする。
（Ｏ01）ネットワークで接続された複数の拠点で出力を行う場合に、出力ミスを低減すること。
【課題を解決するための手段】
【０００７】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００８】
（第１発明）
前記技術的課題を解決するために、第１発明のプリントシステム（Ｓ）は、下記の構成要件（Ａ01）〜（Ａ06）を備えたことを特徴とする。
（Ａ01）複数のサブネットワーク（３，４）を有するネットワーク（Ｎ）に接続され、前記ネットワーク（Ｎ）を介して画像情報を画像形成装置（Ｐｒ）に送信する画像情報送信装置（ＰＣ）、
（Ａ02）前記ネットワーク（Ｎ）に接続され、前記画像情報送信装置（ＰＣ）から送信されて受信した画像情報に応じて画像形成を行う画像形成装置（Ｐｒ）、
（Ａ03）前記画像情報送信装置（ＰＣ）が接続されたサブネットワーク（３，４）を特定する送信装置サブネットワーク特定手段（Ｃ５Ａ，Ｃ４２Ａ）、
（Ａ04）前記画像形成装置（Ｐｒ）が接続されたサブネットワーク（３，４）を特定する画像形成装置サブネットワーク特定手段（Ｃ５Ｂ，Ｃ４２Ｂ）、
（Ａ05）前記画像情報送信装置（ＰＣ）が接続されたサブネットワーク（３，４）と、前記画像形成装置（Ｐｒ）が接続されたサブネットワーク（３，４）とが一致するか否かを判別するサブネットワーク一致判別手段（Ｃ５，Ｃ５′，Ｃ４２）、
（Ａ06）前記画像情報送信装置（ＰＣ）が接続されたサブネットワーク（３，４）と、前記画像形成装置（Ｐｒ）が接続されたサブネットワーク（３，４）とが一致しない場合に、異なるサブネットワーク（３，４）に接続された前記画像形成装置（Ｐｒ）から印刷しようとしていることを前記画像情報送信装置（ＰＣ）のユーザに告知するサブネットワーク不一致告知手段（Ｃ６，Ｃ６′）。
【０００９】
前記構成要件（Ａ01）〜（Ａ06）を備えた第１発明のプリントシステム（Ｓ）では、複数のサブネットワーク（３，４）を有するネットワーク（Ｎ）に接続された画像情報送信装置（ＰＣ）は、前記ネットワーク（Ｎ）を介して画像情報を画像形成装置（Ｐｒ）に送信する。前記ネットワーク（Ｎ）に接続された画像形成装置（Ｐｒ）は、前記画像情報送信装置（ＰＣ）から送信されて受信した画像情報に応じて画像形成を行う。送信装置サブネットワーク特定手段（Ｃ５Ａ，Ｃ４２Ａ）は、前記画像情報送信装置（ＰＣ）が接続されたサブネットワーク（３，４）を特定する。画像形成装置サブネットワーク特定手段（Ｃ５Ｂ，Ｃ４２Ｂ）は、前記画像形成装置（Ｐｒ）が接続されたサブネットワーク（３，４）を特定する。サブネットワーク一致判別手段（Ｃ５，Ｃ５′，Ｃ４２）は、前記画像情報送信装置（ＰＣ）が接続されたサブネットワーク（３，４）と、前記画像形成装置（Ｐｒ）が接続されたサブネットワーク（３，４）とが一致するか否かを判別する。前記画像情報送信装置（ＰＣ）が接続されたサブネットワーク（３，４）と、前記画像形成装置（Ｐｒ）が接続されたサブネットワーク（３，４）とが一致しない場合に、サブネットワーク不一致告知手段（Ｃ６，Ｃ６′）は、異なるサブネットワーク（３，４）に接続された前記画像形成装置（Ｐｒ）から印刷しようとしていることを前記画像情報送信装置（ＰＣ）のユーザに告知する。
【００１０】
したがって、第１発明のプリントシステム（Ｓ）では、サブネットワーク（３，４）が一致しない場合には告知されるので、ユーザは画像形成装置（Ｐｒ）を間違っていないかどうかを確認することができる。したがって、ユーザが意図していない画像形成装置（Ｐｒ）から誤って出力しそうになっても告知がされるので、確認し、選択し直すことができる。この結果、ネットワーク（Ｎ）で接続された複数の拠点で出力を行う場合に、ユーザが意図していない画像形成装置（Ｐｒ）から出力されることを低減でき、出力ミスを低減することができる。したがって、意図していない画像形成装置（Ｐｒ）から出力されてしまうことによる機密情報の漏洩を減らすことができる。
【００１１】
（第１発明の形態１）
第１発明の形態１のプリントシステム（Ｓ）は、前記第１発明において、下記の構成要件（Ａ07）を備えたことを特徴とする。
（Ａ07）前記送信装置サブネットワーク特定手段（Ｃ５Ａ）、前記画像形成装置サブネットワーク特定手段（Ｃ５Ｂ）、前記サブネットワーク一致判別手段（Ｃ５）および前記サブネットワーク不一致告知手段（Ｃ６）を有する前記画像情報送信装置（ＰＣ）。
（第１発明の形態１の作用）
前記構成要件（Ａ07）を備えた第１発明の形態１のプリントシステム（Ｓ）では、前記画像情報送信装置（ＰＣ）が、前記送信装置サブネットワーク特定手段（Ｃ５Ａ）、前記画像形成装置サブネットワーク特定手段（Ｃ５Ｂ）、前記サブネットワーク一致判別手段（Ｃ５）および前記サブネットワーク不一致告知手段（Ｃ６）を有するので、サブネットワーク（３，４）が一致するか否かの判別を画像情報送信装置（ＰＣ）で行うことができる。
【００１２】
（第１発明の形態２）
第１発明の形態２のプリントシステム（Ｓ）は、前記第１発明において、下記の構成要件（Ａ08），（Ａ09）を備えたことを特徴とする。
（Ａ08）前記サブネットワーク一致判別手段（Ｃ４２）を有する前記画像形成装置（Ｐｒ）であって、
前記画像情報送信装置（ＰＣ）が接続されたサブネットワーク（３，４）と、前記画像形成装置（Ｐｒ）が接続されたサブネットワーク（３，４）とが一致しない場合に、前記画像情報送信装置（ＰＣ）にサブネットワーク不一致情報を送信する不一致情報送信手段（Ｃ４２Ｃ）を有する前記画像形成装置（Ｐｒ）、
（Ａ09）前記画像形成装置（Ｐｒ）から送信されたサブネットワーク不一致情報を受信する不一致情報受信手段（Ｃ５Ｃ）を有し、
前記サブネットワーク不一致情報を受信した場合に、前記画像情報送信装置（ＰＣ）が接続されたサブネットワーク（３，４）と、前記画像形成装置（Ｐｒ）が接続されたサブネットワーク（３，４）とが一致しない場合であると判別して、異なるサブネットワーク（３，４）に接続された前記画像形成装置（Ｐｒ）から印刷しようとしていることを前記画像情報送信装置（ＰＣ）のユーザに告知する前記サブネットワーク不一致告知手段（Ｃ６′）を有する前記画像情報送信装置（ＰＣ）。
【００１３】
（第１発明の形態２の作用）
前記構成要件（Ａ08），（Ａ09）を備えた第１発明の形態２のプリントシステム（Ｓ）では、前記サブネットワーク一致判別手段（Ｃ４２）を有する前記画像形成装置（Ｐｒ）に設けられた不一致情報送信手段（Ｃ４２Ｃ）は、前記画像情報送信装置（ＰＣ）が接続されたサブネットワーク（３，４）と、前記画像形成装置（Ｐｒ）が接続されたサブネットワーク（３，４）とが一致しない場合に、前記画像情報送信装置（ＰＣ）にサブネットワーク不一致情報を送信する。前記画像形成装置（Ｐｒ）から送信されたサブネットワーク不一致情報を受信する不一致情報受信手段（Ｃ５Ｃ）を有する前記画像情報送信装置（ＰＣ）の前記サブネットワーク不一致告知手段（Ｃ６′）は、前記サブネットワーク不一致情報を受信した場合に、前記画像情報送信装置（ＰＣ）が接続されたサブネットワーク（３，４）と、前記画像形成装置（Ｐｒ）が接続されたサブネットワーク（３，４）とが一致しない場合であると判別して、異なるサブネットワーク（３，４）に接続された前記画像形成装置（Ｐｒ）から印刷しようとしていることを前記画像情報送信装置（ＰＣ）のユーザに告知する。
したがって、第１発明の形態２のプリントシステム（Ｓ）では、画像形成装置（Ｐｒ）でサブネットワーク（３，４）が一致するか否かを判別でき、画像情報送信装置（ＰＣ）に通知することができる。
【００１４】
（第２発明）
前記技術的課題を解決するために、第２発明の画像形成装置（Ｐｒ）は、下記の構成要件（Ｂ01）〜（Ｂ07）を備えたことを特徴とする。
（Ｂ01）複数のサブネットワーク（３，４）を有するネットワーク（Ｎ）に接続された前記画像形成装置（Ｐｒ）、
（Ｂ02）前記ネットワーク（Ｎ）を介して画像情報を受信する画像情報受信手段（Ｃ１１′）、
（Ｂ03）受信した画像情報に応じて画像形成を行う画像形成手段（Ｃ１３′）、
（Ｂ04）前記画像情報を送信した画像情報送信装置（ＰＣ）が接続されたサブネットワーク（３，４）を特定する送信装置サブネットワーク特定手段（Ｃ４２Ａ）、
（Ｂ05）前記画像形成装置（Ｐｒ）が接続されたサブネットワーク（３，４）を特定する画像形成装置サブネットワーク特定手段（Ｃ４２Ｂ）、
（Ｂ06）前記画像情報送信装置（ＰＣ）が接続されたサブネットワーク（３，４）と、前記画像形成装置（Ｐｒ）が接続されたサブネットワーク（３，４）とが一致するか否かを判別するサブネットワーク一致判別手段（Ｃ４２）、
（Ｂ07）前記画像情報送信装置（ＰＣ）が接続されたサブネットワーク（３，４）と、前記画像形成装置（Ｐｒ）が接続されたサブネットワーク（３，４）とが一致しない場合に、前記画像情報送信装置（ＰＣ）にサブネットワーク不一致情報を送信する不一致情報送信手段（Ｃ４２Ｃ）。
【００１５】
（第２発明の作用）
前記構成要件（Ｂ01）〜（Ｂ07）を備えた第２発明の画像形成装置（Ｐｒ）は、複数のサブネットワーク（３，４）を有するネットワーク（Ｎ）に接続されている。画像情報受信手段（Ｃ１１′）は、前記ネットワーク（Ｎ）を介して画像情報を受信する。画像形成手段（Ｃ１３′）は、受信した画像情報に応じて画像形成を行う。送信装置サブネットワーク特定手段（Ｃ４２Ａ）は、前記画像情報を送信した画像情報送信装置（ＰＣ）が接続されたサブネットワーク（３，４）を特定する。画像形成装置サブネットワーク特定手段（Ｃ４２Ｂ）は、前記画像形成装置（Ｐｒ）が接続されたサブネットワーク（３，４）を特定する。サブネットワーク一致判別手段（Ｃ４２）は、前記画像情報送信装置（ＰＣ）が接続されたサブネットワーク（３，４）と、前記画像形成装置（Ｐｒ）が接続されたサブネットワーク（３，４）とが一致するか否かを判別する。前記画像情報送信装置（ＰＣ）が接続されたサブネットワーク（３，４）と、前記画像形成装置（Ｐｒ）が接続されたサブネットワーク（３，４）とが一致しない場合には、不一致情報送信手段（Ｃ４２Ｃ）は、前記画像情報送信装置（ＰＣ）にサブネットワーク不一致情報を送信する。
【００１６】
したがって、第２発明の画像形成装置（Ｐｒ）では、サブネットワーク（３，４）が一致しない場合には画像情報送信装置（ＰＣ）にサブネットワーク不一致情報が送信されて告知されるので、ユーザは画像形成装置（Ｐｒ）を間違っていないかどうかを確認することができる。したがって、ユーザが意図していない画像形成装置（Ｐｒ）から誤って出力しそうになっても告知がされるので、確認し、選択し直すことができる。この結果、ネットワーク（Ｎ）で接続された複数の拠点で出力を行う場合に、ユーザが意図していない画像形成装置（Ｐｒ）から出力されることを低減でき、出力ミスを低減することができる。したがって、意図していない画像形成装置（Ｐｒ）から出力されてしまうことによる機密情報の漏洩を減らすことができる。
【００１７】
（第３発明）
前記技術的課題を解決するために、第３発明の画像情報送信装置（ＰＣ）は、下記の構成要件（Ｃ01）〜（Ｃ05）を備えたことを特徴とする。
（Ｃ01）複数のサブネットワーク（３，４）を有するネットワーク（Ｎ）に接続され、前記ネットワーク（Ｎ）を介して画像情報を画像形成装置（Ｐｒ）に送信する前記画像情報送信装置（ＰＣ）、
（Ｃ02）前記画像情報送信装置（ＰＣ）が接続されたサブネットワーク（３，４）を特定する送信装置サブネットワーク特定手段（Ｃ５Ａ）、
（Ｃ03）画像情報を送信する前記画像形成装置（Ｐｒ）が接続されたサブネットワーク（３，４）を特定する画像形成装置サブネットワーク特定手段（Ｃ５Ｂ）、
（Ｃ04）前記画像情報送信装置（ＰＣ）が接続されたサブネットワーク（３，４）と、前記画像形成装置（Ｐｒ）が接続されたサブネットワーク（３，４）とが一致するか否かを判別するサブネットワーク一致判別手段（Ｃ５）、
（Ｃ05）前記画像情報送信装置（ＰＣ）が接続されたサブネットワーク（３，４）と、前記画像形成装置（Ｐｒ）が接続されたサブネットワーク（３，４）とが一致しない場合に、異なるサブネットワーク（３，４）に接続された前記画像形成装置（Ｐｒ）から印刷しようとしていることを前記画像情報送信装置（ＰＣ）のユーザに告知するサブネットワーク不一致告知手段（Ｃ６）。
【００１８】
（第３発明の作用）
前記構成要件（Ｃ01）〜（Ｃ05）を備えた第３発明の画像情報送信装置（ＰＣ）は、複数のサブネットワーク（３，４）を有するネットワーク（Ｎ）に接続され、前記ネットワーク（Ｎ）を介して画像情報を画像形成装置（Ｐｒ）に送信する。送信装置サブネットワーク特定手段（Ｃ５Ａ）は、前記画像情報送信装置（ＰＣ）が接続されたサブネットワーク（３，４）を特定する。画像形成装置サブネットワーク特定手段（Ｃ５Ｂ）は、画像情報を送信する前記画像形成装置（Ｐｒ）が接続されたサブネットワーク（３，４）を特定する。サブネットワーク一致判別手段（Ｃ５）は、前記画像情報送信装置（ＰＣ）が接続されたサブネットワーク（３，４）と、前記画像形成装置（Ｐｒ）が接続されたサブネットワーク（３，４）とが一致するか否かを判別する。前記画像情報送信装置（ＰＣ）が接続されたサブネットワーク（３，４）と、前記画像形成装置（Ｐｒ）が接続されたサブネットワーク（３，４）とが一致しない場合に、サブネットワーク不一致告知手段（Ｃ６）は、異なるサブネットワーク（３，４）に接続された前記画像形成装置（Ｐｒ）から印刷しようとしていることを前記画像情報送信装置（ＰＣ）のユーザに告知する。
【００１９】
したがって、第３発明の画像情報送信装置（ＰＣ）では、サブネットワーク（３，４）が一致しない場合には告知されるので、ユーザは画像形成装置（Ｐｒ）を間違っていないかどうかを確認することができる。したがって、ユーザが意図していない画像形成装置（Ｐｒ）から誤って出力しそうになっても告知がされるので、確認し、選択し直すことができる。この結果、ネットワーク（Ｎ）で接続された複数の拠点で出力を行う場合に、ユーザが意図していない画像形成装置（Ｐｒ）から出力されることを低減でき、出力ミスを低減することができる。したがって、意図していない画像形成装置（Ｐｒ）から出力されてしまうことによる機密情報の漏洩を減らすことができる。
【００２０】
（第３発明の形態１）
第３発明の形態１の画像情報送信装置（ＰＣ）は、前記第３発明において、下記の構成要件（Ｃ06），（Ｃ07）を備えたことを特徴とする。
（Ｃ06）前記画像形成装置（Ｐｒ）から送信された、前記画像情報送信装置（ＰＣ）が接続されたサブネットワーク（３，４）と前記画像形成装置（Ｐｒ）が接続されたサブネットワーク（３，４）とが一致しないことを通知するサブネットワーク不一致情報を受信する不一致情報受信手段（Ｃ５Ｃ）、
（Ｃ07）前記サブネットワーク不一致情報を受信した場合に、前記画像情報送信装置（ＰＣ）が接続されたサブネットワーク（３，４）と、前記画像形成装置（Ｐｒ）が接続されたサブネットワーク（３，４）とが一致しない場合であると判別して、異なるサブネットワーク（３，４）に接続された前記画像形成装置（Ｐｒ）から印刷しようとしていることを前記画像情報送信装置（ＰＣ）のユーザに告知する前記サブネットワーク不一致告知手段（Ｃ６，Ｃ６′）。
【００２１】
（第３発明の形態１の作用）
前記構成要件（Ｃ06），（Ｃ07）を備えた第３発明の形態１の画像情報送信装置（ＰＣ）では、不一致情報受信手段（Ｃ５Ｃ）は、前記画像形成装置（Ｐｒ）から送信された、前記画像情報送信装置（ＰＣ）が接続されたサブネットワーク（３，４）と前記画像形成装置（Ｐｒ）が接続されたサブネットワーク（３，４）とが一致しないことを通知するサブネットワーク不一致情報を受信する。前記サブネットワーク不一致告知手段（Ｃ６，Ｃ６′）は、前記サブネットワーク不一致情報を受信した場合に、前記画像情報送信装置（ＰＣ）が接続されたサブネットワーク（３，４）と、前記画像形成装置（Ｐｒ）が接続されたサブネットワーク（３，４）とが一致しない場合であると判別して、異なるサブネットワーク（３，４）に接続された前記画像形成装置（Ｐｒ）から印刷しようとしていることを前記画像情報送信装置（ＰＣ）のユーザに告知する。
【００２２】
（第４発明）
前記技術的課題を解決するために、第４発明の画像情報送信制御プログラムは、
複数のサブネットワーク（３，４）を有するネットワーク（Ｎ）に接続され、前記ネットワーク（Ｎ）を介して前記ネットワーク（Ｎ）に接続された画像形成装置（Ｐｒ）に画像情報を送信する画像情報送信装置（ＰＣ）を、
前記画像情報送信装置（ＰＣ）が接続されたサブネットワーク（３，４）を特定する画像情報送信装置（ＰＣ）サブネットワーク（３，４）特定手段、
前記画像形成装置（Ｐｒ）が接続されたサブネットワーク（３，４）を特定する画像形成装置サブネットワーク特定手段（Ｃ５Ｂ）、
前記画像情報送信装置（ＰＣ）が接続されたサブネットワーク（３，４）と、前記画像形成装置（Ｐｒ）が接続されたサブネットワーク（３，４）とが一致するか否かを判別するサブネットワーク一致判別手段（Ｃ５）、
前記画像情報送信装置（ＰＣ）が接続されたサブネットワーク（３，４）と、前記画像形成装置（Ｐｒ）が接続されたサブネットワーク（３，４）とが一致しない場合に、異なるサブネットワーク（３，４）に接続された前記画像形成装置（Ｐｒ）から印刷しようとしていることを前記画像情報送信装置（ＰＣ）のユーザに告知するサブネットワーク不一致告知手段（Ｃ６）、
として機能させることを特徴とする。
【００２３】
（第４発明の作用）
前記構成要件を備えた第４発明の画像情報送信制御プログラムでは、画像情報送信装置（ＰＣ）サブネットワーク（３，４）特定手段は、前記画像情報送信装置（ＰＣ）が接続されたサブネットワーク（３，４）を特定する。画像形成装置サブネットワーク特定手段（Ｃ５Ｂ）は、前記画像形成装置（Ｐｒ）が接続されたサブネットワーク（３，４）を特定する。サブネットワーク一致判別手段（Ｃ５）は、前記画像情報送信装置（ＰＣ）が接続されたサブネットワーク（３，４）と、前記画像形成装置（Ｐｒ）が接続されたサブネットワーク（３，４）とが一致するか否かを判別する。前記画像情報送信装置（ＰＣ）が接続されたサブネットワーク（３，４）と、前記画像形成装置（Ｐｒ）が接続されたサブネットワーク（３，４）とが一致しない場合に、サブネットワーク不一致告知手段（Ｃ６）は、異なるサブネットワーク（３，４）に接続された前記画像形成装置（Ｐｒ）から印刷しようとしていることを前記画像情報送信装置（ＰＣ）のユーザに告知する。
【００２４】
したがって、第４発明の画像情報送信制御プログラムにより、サブネットワーク（３，４）が一致しない場合には告知されるので、ユーザは画像形成装置（Ｐｒ）を間違っていないかどうかを確認することができる。したがって、ユーザが意図していない画像形成装置（Ｐｒ）から誤って出力しそうになっても告知がされるので、確認し、選択し直すことができる。この結果、ネットワーク（Ｎ）で接続された複数の拠点で出力を行う場合に、ユーザが意図していない画像形成装置（Ｐｒ）から出力されることを低減でき、出力ミスを低減することができる。したがって、意図していない画像形成装置（Ｐｒ）から出力されてしまうことによる機密情報の漏洩を減らすことができる。
【００２５】
（第４発明の形態１）
第４発明の形態１の画像情報送信制御プログラムは、前記第４発明において、
前記画像情報送信装置（ＰＣ）を、
前記画像形成装置（Ｐｒ）から送信された、前記画像情報送信装置（ＰＣ）が接続されたサブネットワーク（３，４）と前記画像形成装置（Ｐｒ）が接続されたサブネットワーク（３，４）とが一致しないことを通知するサブネットワーク不一致情報を受信する不一致情報受信手段（Ｃ５Ｃ）、
前記サブネットワーク不一致情報を受信した場合に、前記画像情報送信装置（ＰＣ）が接続されたサブネットワーク（３，４）と、前記画像形成装置（Ｐｒ）が接続されたサブネットワーク（３，４）とが一致しない場合であると判別して、異なるサブネットワーク（３，４）に接続された前記画像形成装置（Ｐｒ）から印刷しようとしていることを前記画像情報送信装置（ＰＣ）のユーザに告知する前記サブネットワーク不一致告知手段（Ｃ６）、
として機能させることを特徴とする。
【００２６】
（第４発明の形態１の作用）
前記構成要件を備えた第４発明の形態１の画像情報送信制御プログラムでは、不一致情報受信手段（Ｃ５Ｃ）は、前記画像形成装置（Ｐｒ）から送信された、前記画像情報送信装置（ＰＣ）が接続されたサブネットワーク（３，４）と前記画像形成装置（Ｐｒ）が接続されたサブネットワーク（３，４）とが一致しないことを通知するサブネットワーク不一致情報を受信する。前記サブネットワーク不一致告知手段（Ｃ６）は、前記サブネットワーク不一致情報を受信した場合に、前記画像情報送信装置（ＰＣ）が接続されたサブネットワーク（３，４）と、前記画像形成装置（Ｐｒ）が接続されたサブネットワーク（３，４）とが一致しない場合であると判別して、異なるサブネットワーク（３，４）に接続された前記画像形成装置（Ｐｒ）から印刷しようとしていることを前記画像情報送信装置（ＰＣ）のユーザに告知する。
【発明の効果】
【００２７】
前述の本発明は、下記の効果（Ｅ01）を奏する。
（Ｅ01）ネットワークで接続された複数の拠点で出力を行う場合に、出力ミスを低減することができる。
【発明を実施するための最良の形態】
【００２８】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２９】
図１は本発明の実施例１のプリントシステムの全体説明図である。
図１において、本発明の実施例１のプリントシステムＳは、インターネット回線（公衆通信回線）１やローカルエリアネットワーク（ＬＡＮ）２を含むネットワークＮを有する。前記ローカルエリアネットワーク２は、ルーターＲを介してインターネット回線１に接続されている。実施例１では、前記ローカルエリアネットワーク２は、第１事業部門用の第１サブネットワーク３と、第２事業部門用の第２サブネットワーク４とを有し、第１サブネットワーク３と第２サブネットワーク４はルーターＲを介して接続されている。
前記各サブネットワーク３，４には、それぞれ、複数のクライアントパソコンＰＣやネットワーク接続型のプリンタ（画像形成装置、複合機）Ｐｒ、図示しないワークステーションやデータベースサーバ等が接続されている。
【００３０】
前記各クライアントパソコンＰＣは、コンピュータ装置により構成されており、コンピュータ本体Ｈ１と、ディスプレイ（表示画面）Ｈ２と、キーボードＨ３やマウスＨ４等の入力装置、図示しないＨＤドライブ（ハードディスクドライブ）、ＣＤドライブ（コンパクトディスクドライブ）等により構成されている。
前記プリンタＰｒは、ユーザインタフェースＵＩと、印刷用紙を給紙するための複数の給紙トレイＴＲと、排紙トレイＴＲｈとを有している。なお、前記プリンタＰｒは、従来公知の電子写真方式のプリンタ（例えば、特開２００４−２８７２９７号公報等参照）であり、種々のプリンタを採用可能である。
【００３１】
図１において、実施例１のプリントシステムＳは、現在一般的に普及しているＴＣＰ／ＩＰ（Transmission Control Protocol / Internet Protocol）環境で運用されており、ネットワークＮに接続された各機器ＰＣ，Ｐｒには、それぞれ、ＤＨＣＰ（dynamic host configuration protocol）により固有のネットワーク識別情報（ＩＰアドレス）が自動的に割り当てられている（設定されている）。実施例１では、第１サブネットワーク３に接続された各機器ＰＣ、Ｐｒには、ＩＰアドレスとして「１９２．１６８．０．＊」（＊は、０〜２５５で機器毎に異なる値）が割り当てられており、第２サブネットワーク４に接続された各機器ＰＣ，Ｐｒには、ＩＰアドレスとして「１９２．１６８．１．＊」が割り当てられている。
【００３２】
ここで、ＩＰアドレスについて説明すると、ＩＰｖ４（Internet  Protocol  Version４）では、ＩＰアドレスに３２ｂｉｔの番号（実際には、８ｂｉｔずつの１０進数に分けて「１２３．１２３．１２３．１２３」等と表現する）を使用している。標準では、３２ｂｉｔのうち、上位１６ｂｉｔ分をネットワークアドレス番号とし、下位１６ｂｉｔ分をホストアドレス番号としている。ホストアドレス番号は、１６ｂｉｔ分（すなわち、０〜６５５３５）であるため、ネットワークアドレス番号が一致する機器を管理しようとすると、６５５３６台の機器を管理することとなり、全てを管理することは困難である。したがって、現在、ホストアドレス番号を、例えば、上位８ｂｉｔと下位８ｂｉｔに分割して（サブネット化して）、下位８ｂｉｔ分の２５６台で管理することが行われている。このとき、ＩＰアドレスからサブネットのネットワークアドレスを求めるために使用されるのがサブネットマスクであり、ＩＰアドレスにサブネットマスクでＡＮＤをとる（マスキングする）とサブネットのネットワークアドレスを求めることができる。前記サブネットマスクは、前記下位８ｂｉｔの場合では、「２５５．２５５．２５５．０」となり、上位２４ｂｉｔ分がサブネットのネットワークアドレスとなる。なお、実施例１では、このサブネットマスクが各機器に設定、記憶されている。したがって、第１サブネットワーク３のサブネットのネットワークアドレスは「１９２．１６８．０．＊」となり、第２サブネットワーク４のサブネットのネットワークアドレスは「１９２．１６８．１．＊」となる。
【００３３】
（実施例１の制御部の説明）
（クライアントパソコンＰＣの制御部の説明）
図２は実施例１の画像情報送信装置としてのクライアントパソコンの制御部分が備えている各機能をブロック図（機能ブロック図）で示した図である。
図２において、クライアントパソコンＰＣのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のクライアントパソコンＰＣは、前記ハードディスクやＲＯＭ等に記憶されたプログラムを実行することにより種々の機能を実現することができる。
【００３４】
前記クライアントパソコンＰＣの前記ハードディスクドライブには、クライアントパソコンの基本動作を制御する基本ソフト（オペレーティングシステム）ＯＳや、文書作成ソフトウェアや作図ソフトウェア等のアプリケーションプログラムＡＰ、クライアントパソコンＰＣに割り当てられたネットワーク識別情報（ＩＰアドレス）を記憶する送信装置ネットワーク情報記憶手段Ｃ１、アプリケーションプログラムＡＰ等からの印刷指示に応じて画像形成装置Ｐｒに画像情報の送信を行う印刷設定プログラム（画像情報送信制御プログラム、プリンタドライバ）ＰＤが記憶されている。以下、従来公知のオペレーティングシステムＯＳやアプリケーションプログラムＡＰを除く各機能（制御手段）を説明する。なお、実施例１のプリントシステムＳでは、他のクライアントパソコンＰＣも前記クライアントパソコンＰＣと同様に構成されているので詳細な説明および図示は省略する。
【００３５】
Ｃ１：送信装置ネットワーク情報記憶手段
送信装置ネットワーク情報記憶手段Ｃ１は、クライアントパソコンＰＣのＩＰアドレスを記憶するＩＰアドレス記憶手段Ｃ１Ａと、クライアントパソコンＰＣのサブネットマスクを記憶するサブネットマスク記憶手段Ｃ１Ｂとを有し、画像情報送信装置（クライアントパソコンＰＣ）の、ＩＰアドレスおよびサブネットマスクからなるネットワーク情報を記憶する。
【００３６】
ＰＤ：印刷設定プログラム
印刷設定プログラムＰＤは、登録プリンタ記憶手段Ｃ２と、印刷設定画像表示手段Ｃ３と、ネットワーク情報取得手段Ｃ４と、サブネットワーク一致判別手段Ｃ５と、サブネットワーク不一致画像表示手段Ｃ６と、画像情報送信手段Ｃ７と、を有し、印刷指示に応じて、プリンタの選択や各種設定を行い、プリンタＰｒに画像情報を送信する。
Ｃ２：登録プリンタ記憶手段
登録プリンタ記憶手段Ｃ２は、クライアントパソコンＰＣに登録されている使用可能なプリンタＰｒを記憶する。なお、プリンタＰｒの登録は、プリンタ登録用ソフトウェア（図示せず）やオペレーティングシステムＯＳの機能等の従来公知の種々の方法で登録可能であるため、詳細な説明は省略する。
【００３７】
図３は実施例１の印刷設定画像の説明図である。
Ｃ３：印刷設定画像表示手段
印刷設定画像表示手段Ｃ３は、印刷指示があった場合に、プリンタの選択や各種設定を行うための印刷設定画像（図３参照）をディスプレイＨ２に表示する。図３において、実施例１の印刷設定画像１１は、使用するプリンタを選択するプリンタ選択欄１２、印刷の実行を指示する印刷実行画像（「ＯＫ」のアイコン）１３、印刷をキャンセル（取り消す）する印刷キャンセル画像（「閉じる」のアイコン１４や「×」のアイコン１６）、および印刷するページ（印刷範囲）を指定する印刷範囲設定欄１７や印刷する部数を設定する印刷部数設定欄１８等の各種設定欄を有する。
【００３８】
Ｃ４：ネットワーク情報取得手段
ネットワーク情報取得手段Ｃ４は、画像形成装置ネットワーク情報取得手段Ｃ４Ａと、送信装置ネットワーク情報取得手段Ｃ４Ｂとを有し、選択されたプリンタＰｒ（印刷情報を送信してプリントアウトしようとしているプリンタ）のネットワーク情報や、クライアントパソコンＰＣのネットワーク情報を取得する。
Ｃ４Ａ：画像形成装置ネットワーク情報取得手段
画像形成装置ネットワーク情報取得手段Ｃ４Ａは、画像形成装置ネットワーク情報問合せ手段Ｃ４Ａ１と、画像形成装置ネットワーク情報受信手段Ｃ４Ａ２とを有し、選択されたプリンタＰｒとの間で情報の送受信をしてネットワーク情報としてのＩＰアドレスを取得する。
【００３９】
Ｃ４Ａ１：画像形成装置ネットワーク情報問合せ手段
画像形成装置ネットワーク情報問合せ手段Ｃ４Ａ１は、選択されたプリンタ（画像形成装置）Ｐｒに対して、プリンタＰｒのネットワーク情報（実施例１ではＩＰアドレスのみ）を問い合せる信号（ネットワーク情報問合せ信号）を送信する。
Ｃ４Ａ２：画像形成装置ネットワーク情報受信手段
画像形成装置ネットワーク情報受信手段Ｃ４Ａ２は、ネットワーク情報問合せ信号に応じてプリンタＰｒから送信されたネットワーク情報を受信し、記憶する。
Ｃ４Ｂ：送信装置ネットワーク情報取得手段
送信装置ネットワーク情報取得手段Ｃ４Ｂは、前記送信装置ネットワーク情報記憶手段Ｃ１に記憶されたネットワーク情報（ＩＰアドレスおよびサブネットマスク）を読取り、記憶する（取得する）。
【００４０】
Ｃ５：サブネットワーク一致判別手段（画像形成装置近接判別手段）
サブネットワーク一致判別手段Ｃ５は、送信装置サブネットワーク特定手段Ｃ５Ａと、画像形成装置サブネットワーク特定手段Ｃ５Ｂとを有し、クライアントパソコンＰＣ（画像情報送信装置）が接続されたサブネットワーク３，４と、選択されたプリンタＰｒ（画像形成装置）が接続されたサブネットワーク３，４とが一致するか否かを判別する。実施例１のサブネットワーク一致判別手段Ｃ５は、サブネットのネットワークアドレスが一致するか否かを判別することにより、サブネットワーク３，４が一致するか否かを判別している。すなわち、実施例１では、サブネットワーク３，４が一致するか否かを判別することにより、一致する場合は、クライアントパソコンＰＣの近くに設置されたプリンタＰｒから出力しようとしているものと判別し（推定し）、一致しない場合はクライアントパソコンＰＣから遠く離れた場所に設置されたプリンタＰｒから出力しようとしているものと判別する（推定する）。
【００４１】
Ｃ５Ａ：送信装置サブネットワーク特定手段
送信装置サブネットワーク特定手段Ｃ５Ａは、クライアントパソコンＰＣが接続されたサブネットワークを特定する。実施例１の送信装置サブネットワーク特定手段Ｃ５Ａは、取得したクライアントパソコンＰＣのＩＰアドレスとサブネットマスクから、クライアントパソコンＰＣのサブネットのネットワークアドレスを演算することによりサブネットワークを特定する。
Ｃ５Ｂ：画像形成装置サブネットワーク特定手段
画像形成装置サブネットワーク特定手段Ｃ５Ｂは、プリンタＰｒが接続されたサブネットワークを特定する。実施例１の画像形成装置サブネットワーク特定手段Ｃ５Ｂは、取得したプリンタＰｒのＩＰアドレスとクライアントパソコンＰＣのサブネットマスクとから、プリンタＰｒのサブネットのネットワークアドレスを演算することによりサブネットワークを特定する。
【００４２】
図４は実施例１のサブネットワーク不一致画像の説明図である。
Ｃ６：サブネットワーク不一致画像表示手段（サブネットワーク不一致告知手段）
サブネットワーク不一致画像表示手段Ｃ６は、クライアントパソコンＰＣが接続されたサブネットワーク３，４と、プリンタＰｒが接続されたサブネットワーク３，４とが一致しない場合に、異なるサブネットワーク３，４に接続されたプリンタＰｒから印刷しようとしていることをクライアントパソコンＰＣのユーザに告知する。図４において、実施例１のサブネットワーク不一致画像表示手段Ｃ６は、ディスプレイＨ２にサブネットワーク不一致画像２１を表示することによりユーザに告知する。サブネットワーク不一致画像２１は、画像情報の送信を実行する印刷実行画像（図４における「実行」のアイコン）２２と、画像情報の送信を取り消す印刷取消画像（図４における「取消」のアイコン）２３とを有する。
Ｃ７：画像情報送信手段
画像情報送信手段Ｃ７は、印刷指示がされた画像の情報を選択されたプリンタＰｒに送信する。
【００４３】
（画像形成装置の制御部の説明）
図５は、実施例１の画像形成装置としてのプリンタ（複合機）の制御部分が備えている各機能をブロック図（機能ブロック図）で示した図である。
図５において、実施例１のプリンタＰｒのコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００４４】
（前記コントローラＣに接続された信号入力要素）
前記コントローラＣは、ＵＩ（ユーザインタフェース）や図示しない各種センサ等の信号入力要素からの信号が入力されている。
前記ＵＩは、表示器ＵＩ１や、コピースタートキーＵＩ２、テンキーＵＩ３等の入力キーを備えており、それらが入力されたことを検出して、その検出信号をコントローラＣに入力する。
【００４５】
（前記コントローラＣに接続された制御要素）
前記コントローラＣは、画像情報に応じて画像を形成し、給紙トレイＴＲから給紙された用紙に画像を記録して排出トレイＴＲｈに排出する画像記録部材Ｐｒ１やその他の制御要素に接続されており、それらの作動制御信号を出力している。
【００４６】
（前記コントローラＣの機能）
前記コントローラＣは、前記各信号出力要素からの出力信号やネットワークＮを介して受信した情報、信号に応じた処理を実行して、前記各制御要素に制御信号を出力する機能（制御手段）を有している。前記コントローラＣの機能（制御手段）を次に説明する。
Ｃ１１：画像情報受信手段
画像情報受信手段Ｃ１１は、クライアントパソコンＰＣから送信された画像情報を受信する。
【００４７】
Ｃ１２：ジョブ記憶手段
ジョブ記憶手段Ｃ１２は、受信した画像情報やコピー動作時の読取り画像情報等のプリント動作やコピー動作等の画像形成動作（ジョブ）を実行するための情報（データ）を記憶する。
Ｃ１３：画像記録手段（画像形成手段）
画像記録手段Ｃ１３は、画像記録部材Ｐｒ１を作動を制御して、ジョブ記憶手段Ｃ１２に記憶されたジョブを受信した順に実行し、用紙に画像を記録する。
Ｃ１４：画像形成装置ネットワーク情報問合せ信号受信手段
画像形成装置ネットワーク情報問合せ信号受信手段Ｃ１４は、クライアントパソコンＰＣから送信されたネットワーク情報問合せ信号を受信する。
【００４８】
Ｃ１５：画像形成装置ネットワーク情報記憶手段
画像形成装置ネットワーク情報記憶手段Ｃ１５は、プリンタ（画像形成装置）ＰｒのＩＰアドレスを記憶するＩＰアドレス記憶手段Ｃ１５Ａと、プリンタＰｒのサブネットマスクを記憶するサブネットマスク記憶手段Ｃ１５Ｂとを有し、プリンタＰｒのＩＰアドレスおよびサブネットマスクからなるネットワーク情報を記憶する。
Ｃ１６：画像形成装置ネットワーク情報送信手段
画像形成装置ネットワーク情報送信手段Ｃ１６は、クライアントパソコンＰＣから送信されたネットワーク情報問合せ信号に応じて、プリンタＰｒのネットワーク情報（実施例１ではＩＰアドレス）をクライアントパソコンＰＣに送信する。
【００４９】
（実施例１のフローチャートの説明）
次に、実施例１のクライアントパソコンＰＣの処理の流れをフローチャートを使用して説明するが、プリンタＰｒの処理については、画像情報を受信した順に印刷を行う画像記録処理やクライアントパソコンＰＣからのネットワーク情報問合せ信号を受信した場合にネットワーク情報を送信するネットワーク情報応答処理については、図示及び詳細な説明を省略する。
【００５０】
（印刷設定及び画像情報送信制御処理のフローチャートの説明）
図６は実施例１のクライアントパソコンに組み込まれた印刷設定プログラムによる印刷設定および画像情報送信制御処理のフローチャートである。
図６のフローチャートの各ＳＴ（ステップ）の処理は、コンピュータ本体Ｈ１のハードディスク等に記憶された印刷設定プログラムに従って行われる。また、この処理はクライアントパソコンＰＣの他の各種処理と並行してマルチタスクで実行される。
図６に示すフローチャートはクライアントパソコンＰＣにおいて、アプリケーションソフト等の操作により画像情報の印刷の指示がされて、印刷設定プログラムが起動したときに開始される。
【００５１】
図６のＳＴ１において、印刷設定画像（図３参照）１１をディスプレイＨ２に表示する。そして、ＳＴ２に進む。
ＳＴ２において、各設定（プリンタの選択、印刷範囲、部数等）の入力がされたか否かを判別する。イエス（Ｙ）の場合はＳＴ３に進み、ノー（Ｎ）の場合はＳＴ４に進む。
ＳＴ３において、次の処理（１）、（２）を実行しＳＴ２に戻る。
（１）入力に応じて印刷設定画像１１を更新する。
（２）入力された各設定を記憶する。
ＳＴ４において、印刷を実行する入力（図３において「ＯＫ」を選択する入力）がされたか否かを判別する。ノー（Ｎ）の場合はＳＴ５に進み、イエス（Ｙ）の場合はＳＴ６に進む。
ＳＴ５において、印刷の実行をキャンセルする入力（図３において、「閉じる」のアイコン１４や「×」のアイコン１６を選択する入力）がされたか否かを判別する。イエス（Ｙ）の場合はＳＴ１６に進み、ノー（Ｎ）の場合はＳＴ２に戻る。
【００５２】
ＳＴ６において、使用するプリンタＰｒ（選択されたプリンタＰｒ）のＩＰアドレスを取得する。すなわち、選択されたプリンタＰｒに対してネットワークＮを介してネットワーク情報問合せ信号を送信し、プリンタＰｒから送信されたネットワーク情報を受信する。そして、ＳＴ７に進む。
ＳＴ７において、クライアントパソコンＰＣのＩＰアドレスおよびサブネットマスクを取得する。そして、ＳＴ８に進む。
ＳＴ８において、次の処理（１）、（２）を実行し、ＳＴ９に進む。
（１）クライアントパソコンＰＣのＩＰアドレスおよびサブネットマスクからクライアントパソコンＰＣが接続されたサブネットのネットワークアドレスを演算し、サブネットワーク３，４を特定する。
（２）プリンタＰｒのＩＰアドレスおよびクライアントパソコンＰＣのサブネットマスクからプリンタＰｒが接続されたサブネットのネットワークアドレスを演算し、サブネットワーク３，４を特定する。
【００５３】
ＳＴ９において、クライアントパソコンＰＣのサブネットのネットワークアドレスと、プリンタＰｒのサブネットのネットワークアドレスが一致するか否かを判別する。ノー（Ｎ）の場合はＳＴ１０に進み、イエス（Ｙ）の場合はＳＴ１５に進む。
ＳＴ１０において、サブネット不一致画像２１（図４参照）をディスプレイＨ２に表示する。そして、ＳＴ１１に進む。
ＳＴ１１において、印刷を実行する入力（図４の「実行」アイコン２２を選択する入力）がされたか否かを判別する。イエス（Ｙ）の場合はＳＴ１２に進み、ノー（Ｎ）の場合はＳＴ１３に進む。
ＳＴ１２において、サブネット不一致画像２１の表示を終了する。そして、ＳＴ１５に進む。
【００５４】
ＳＴ１３において、印刷を取り消す入力（図４の「取消」アイコン２３を選択する入力）がされたか否かを判別する。イエス（Ｙ）の場合はＳＴ１４に進み、ノー（Ｎ）の場合はＳＴ１１に戻る。
ＳＴ１４において、サブネット不一致確認画像２１の表示を終了する。そして、ＳＴ１に戻る。
ＳＴ１５において、選択されたプリンタＰｒに対して画像情報を送信する。そして、ＳＴ１６に進む。
ＳＴ１６において、印刷設定画像１１の表示を終了する。そして、印刷設定および画像情報送信制御処理を終了する。すなわち、印刷設定プログラムを終了する。
【００５５】
（実施例１の作用）
前記構成を備えた実施例１のプリントシステムＳでは、例えば、第１サブネットワーク３に接続されたクライアントパソコンＰＣを使用中に、第２サブネットワーク４に接続されたプリンタＰｒからプリントアウトをしようとすると、サブネットワーク３，４が一致しないと判別されて、サブネット不一致確認画像２１が表示される。したがって、クライアントパソコンＰＣから遠く離れた場所に設置されている可能性が高い異なる事業部門にあるプリンタＰｒから誤って出力しそうになっても、確認画像２１が表示されるので、印刷を取り消してプリンタＰｒを確認し、選択し直すことができる。
また、通常業務を行う事業部門とは異なる事業部門にノートパソコン型のクライアントパソコンＰＣを持って行き、プリントアウトしようとした時に、通常業務を行う事業部門のプリンタＰｒから誤ってプリントアウトしそうになっても、サブネット不一致確認画像２１が表示されるので、印刷を取り消してプリンタＰｒを確認し、選択し直すことができる。また、従来技術のように異なる事業部門のプリンタＰｒに自動的に設定されないので、ユーザが異なる事業部門に設置されたプリンタＰｒを確認しながら設定することができる。
【００５６】
この結果、ユーザが意図していないプリンタＰｒから出力されることを低減でき、誤ったプリンタから出力することによる機密情報の漏洩の危険を少なくすることができる。また、サブネットに応じてコンピュータ側で勝手にプリンタを変更することがないので、ユーザが混乱することを防止でき、意図していないプリンタＰｒから出力されてしまうことによる機密情報の漏洩の危険を減らすことができる。
また、例えば、出張先でクライアントパソコンＰＣを接続した状態で、通常業務を行う事業部門の同僚にプリントアウトされた内容を参照してもらうような場合でも、サブネット不一致確認画像２１が表示されるので、ユーザは慎重に確認することができ、誤ったプリンタＰｒから出力するミスを低減できる。そして、サブネット不一致確認画像２１で「ＯＫ」を入力することで、異なるサブネットワーク３，４に接続されたプリンタＰｒから出力することができるので、出張先から同僚に向けてプリントアウトの指示を行うことができる。
【実施例２】
【００５７】
次に本発明の実施例２のプリントシステムＳの説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００５８】
（実施例２の制御部の説明）
（クライアントパソコンＰＣの制御部の説明）
図７は実施例２の画像情報送信装置としてのクライアントパソコンの制御部分が備えている各機能をブロック図（機能ブロック図）で示した図であり、実施例１の図２に対応する図である。
図７において、実施例２のクライアントパソコンＰＣは、実施例１の印刷設定プログラムＰＤに換えて、印刷設定プログラムＰＤ′と、プリンタモニタープログラム（画像情報送信制御プログラム）ＰＭとを有する。
【００５９】
ＰＤ′：印刷設定プログラム
印刷設定プログラムＰＤ′は、実施例１と同様の登録プリンタ記憶手段Ｃ２と、印刷設定画像表示手段Ｃ３とを有し、各手段Ｃ４〜Ｃ７に換えてプリンタモニター起動手段Ｃ３１を有し、プリンタの選択や各種設定を行う。
Ｃ３１：プリンタモニター起動手段
プリンタモニター起動手段Ｃ３１は、印刷設定画像２１において印刷実行の指示がされた場合に、プリンタＰｒの状況（印刷の実行状況やエラーの発生状況等）を監視するためのプリンタモニタープログラムＰＭを起動する。
【００６０】
ＰＭ：プリンタモニタープログラム（画像情報送信制御プログラム）
プリンタモニタープログラムＰＭは、実施例１と同様の送信装置ネットワーク情報取得手段Ｃ４Ｂに加え、プリンタモニター画像表示手段Ｃ３２と、画像情報送信手段Ｃ７′と、サブネットワーク一致判別手段Ｃ５′と、サブネットワーク不一致画像表示手段Ｃ６′と、プリント実行情報送信手段Ｃ３３と、プリント取消情報送信手段Ｃ３４と、プリント完了情報受信手段Ｃ３５と、印刷状況情報受信手段Ｃ３６とを有する。前記プリンタモニタープログラムＰＭは、選択されたプリンタＰｒの状況（例えば、印刷の実行状況やエラーの発生、消耗材（トナーやインク等）の状況等）を監視する。
【００６１】
図８は実施例２のプリンタモニター画像の説明図である。
Ｃ３２：プリンタモニター画像表示手段
プリンタモニター画像表示手段Ｃ３２は、選択されたプリンタＰｒの状況に応じたプリンタモニター画像３１（図８参照）をディスプレイＨ２に表示する。図８において、実施例２のプリンタモニター画像３１は、状況表示欄３２や、プリンタモニタープログラムＰＭを終了させるためのモニター終了画像（「閉じる」アイコン３３や「×」アイコン３４）、その他の各種表示変更、設定変更の指示用アイコン３６を有する。
Ｃ７′：画像情報送信手段
画像情報送信手段Ｃ７′は、送信装置ネットワーク情報取得手段Ｃ４Ｂ二より取得されたクライアントパソコンＰＣ（画像情報送信装置）のネットワーク情報（実施例１ではＩＰアドレス）をプリンタＰｒに送信する送信装置ネットワーク情報送信手段Ｃ７Ａを有し、印刷指示がされた画像情報に加えて、クライアントパソコンＰＣ（画像情報送信装置）のネットワーク情報を選択されたプリンタＰｒに送信する。
【００６２】
Ｃ５′：サブネットワーク一致判別手段
サブネットワーク一致判別手段Ｃ５′は、プリンタＰｒから送信されたサブネットワーク不一致情報を受信するサブネットワーク不一致情報受信手段Ｃ５Ｃを有し、受信したサブネットワーク不一致情報に基づいて、クライアントパソコンＰＣ（画像情報送信装置）が接続されたサブネットワーク３，４と、選択されたプリンタＰｒ（画像形成装置）が接続されたサブネットワーク３，４とが一致するか否かを判別する。
【００６３】
図９は実施例２のサブネットワーク不一致画像を有するプリンタモニター画像の説明図である。
Ｃ６′：サブネットワーク不一致画像表示手段（サブネットワーク不一致告知手段）
サブネットワーク不一致画像表示手段Ｃ６′は、クライアントパソコンＰＣが接続されたサブネットワーク３，４と、プリンタＰｒが接続されたサブネットワーク３，４とが一致しない場合に、異なるサブネットワーク３，４に接続されたプリンタＰｒから印刷しようとしていることをクライアントパソコンＰＣのユーザに告知する。図９において、実施例２のサブネットワーク不一致画像表示手段Ｃ６′は、プリンタモニター画像３１の状況表示欄３２にサブネットワーク不一致画像２１′を表示することによりユーザに告知する。図９に示す実施例２のサブネットワーク不一致画像２１′には、印刷の実行を指示する印刷実行指示画像２２′（図９の「Ｙｅｓ」アイコン２２′）と、印刷の取消を指示する印刷取消指示画像２３′（図９の「Ｎｏ」アイコン２３′）とを有する。
【００６４】
Ｃ３３：プリント実行情報送信手段
プリント実行情報送信手段Ｃ３３は、前記サブネットワーク不一致画像２１′での印刷実行指示画像２２′の選択入力に応じて、プリンタＰｒに印刷の実行を指示するプリント実行情報（プリント実行信号）を送信する。
Ｃ３４：プリント取消情報送信手段
プリント取消情報送信手段Ｃ３４は、前記サブネットワーク不一致画像２１′での印刷取消指示画像２３′の選択入力に応じて、プリンタＰｒに印刷の取消を指示するプリント取消情報（プリント取消信号）を送信する。
Ｃ３５：プリント完了情報受信手段
プリント完了情報受信手段Ｃ３５は、プリンタＰｒに送信した画像情報のプリントアウトが完了したことを通知するためにプリンタＰｒから送信されたプリント完了情報を受信する。
Ｃ３６：印刷状況情報受信手段
印刷状況情報受信手段Ｃ３６は、プリンタＰｒでの印刷状況を通知するためにプリンタＰｒから送信された印刷状況情報を受信する。
【００６５】
（画像形成装置の制御部の説明）
（実施例２のコントローラＣの機能）
図１０は、実施例２の画像形成装置としてのプリンタ（複合機）の制御部分が備えている各機能をブロック図（機能ブロック図）で示した図であり、実施例１の図５に対応する図である。
実施例２のコントローラＣは、実施例１と同様のジョブ記憶手段Ｃ１２と画像形成装置ネットワーク情報記憶手段Ｃ１５を有し、画像情報受信手段Ｃ１１′と、ネットワーク情報取得手段Ｃ４１と、サブネットワーク一致判別手段Ｃ４２と、実行待機ジョブ設定手段Ｃ４３と、プリント実行情報受信手段Ｃ４４と、実行待機解除手段Ｃ４５と、プリント取消情報受信手段Ｃ４６と、ジョブ削除手段Ｃ４７と、画像記録手段Ｃ１３′とを有する。
【００６６】
Ｃ１１′：画像情報受信手段
画像情報受信手段Ｃ１１′は、クライアントパソコンＰＣ（画像情報送信装置）から送信されたクライアントパソコンＰＣのネットワーク情報を受信する送信装置ネットワーク情報受信手段Ｃ１１Ａを有し、クライアントパソコンＰＣから送信された画像情報を受信する。
Ｃ４１：ネットワーク情報取得手段
ネットワーク情報取得手段Ｃ４１は、画像形成装置ネットワーク情報取得手段Ｃ４１Ａと、送信装置ネットワーク情報取得手段Ｃ４１Ｂとを有し、プリンタＰｒのネットワーク情報や、クライアントパソコンＰＣのネットワーク情報を取得する。
【００６７】
Ｃ４１Ａ：画像形成装置ネットワーク情報取得手段
画像形成装置ネットワーク情報取得手段Ｃ４１Ａは、前記画像形成装置ネットワーク情報記憶手段Ｃ１５に記憶されたネットワーク情報（ＩＰアドレスおよびサブネットマスク）を読取り、記憶する（取得する）。
Ｃ４１Ｂ：送信装置ネットワーク情報取得手段
送信装置ネットワーク情報取得手段Ｃ４１Ｂは、前記送信装置ネットワーク情報受信手段Ｃ１１Ａが受信したクライアントパソコンＰＣのネットワーク情報（ＩＰアドレス）を読取り、記憶する（取得する）。
【００６８】
Ｃ４２：サブネットワーク一致判別手段
サブネットワーク一致判別手段Ｃ４２は、送信装置サブネットワーク特定手段Ｃ４２Ａと、画像形成装置サブネットワーク特定手段Ｃ４２Ｂと、サブネットワーク不一致情報送信手段Ｃ４２Ｃとを有し、画像情報を送信したクライアントパソコンＰＣが接続されたサブネットワーク３，４と、プリンタＰｒ（画像形成装置）が接続されたサブネットワーク３，４とが一致するか否かを判別する。実施例２のサブネットワーク一致判別手段Ｃ４２は、サブネットのネットワークアドレスが一致するか否かを判別することにより、サブネットワーク３，４が一致するか否かを判別している。
Ｃ４２Ａ：送信装置サブネットワーク特定手段
送信装置サブネットワーク特定手段Ｃ４２Ａは、クライアントパソコンＰＣが接続されたサブネットワークを特定する。実施例２の送信装置サブネットワーク特定手段Ｃ４２Ａは、取得したクライアントパソコンＰＣのＩＰアドレスとプリンタＰｒのサブネットマスクから、クライアントパソコンＰＣのサブネットのネットワークアドレスを演算することによりサブネットワークを特定する。
【００６９】
Ｃ４２Ｂ：画像形成装置サブネットワーク特定手段
画像形成装置サブネットワーク特定手段Ｃ４２Ｂは、プリンタＰｒが接続されたサブネットワークを特定する。実施例３の画像形成装置サブネットワーク特定手段Ｃ４２Ｂは、取得したプリンタＰｒのＩＰアドレスおよびサブネットマスクとから、プリンタＰｒのサブネットのネットワークアドレスを演算することによりサブネットワークを特定する。
Ｃ４２Ｃ：サブネットワーク不一致情報送信手段
サブネットワーク不一致情報送信手段Ｃ４２Ｃは、クライアントパソコンＰＣのサブネットワーク３，４とプリンタＰｒのサブネットワーク３，４が一致しない場合に、サブネットワーク３，４が一致しないことを通知するサブネットワーク不一致情報を、画像情報を送信したクライアントパソコンＰＣに送信する。
【００７０】
Ｃ４３：実行待機ジョブ設定手段
実行待機ジョブ設定手段Ｃ４３は、サブネットワーク３，４が一致しない場合に、クライアントパソコンＰＣから印刷の実行または取消の指示を受けるまでの間、受信した画像情報のジョブに対して、ジョブの実行を待機することを設定する。
Ｃ４４：プリント実行情報受信手段
プリント実行情報受信手段Ｃ４４は、クライアントパソコンＰＣから送信されたプリント実行情報を受信する。
Ｃ４５：実行待機解除手段
実行待機解除手段Ｃ４５は、プリント実行情報を受信した場合に、ジョブの実行を待機するように設定された該当する画像情報のジョブに対して、待機を解除する設定を行う。
【００７１】
Ｃ４６：プリント取消情報受信手段
プリント取消情報受信手段Ｃ４６は、クライアントパソコンＰＣから送信されたプリント取消情報を受信する。
Ｃ４７：ジョブ削除手段Ｃ４７
ジョブ削除手段Ｃ４７は、プリント取消情報を受信した場合に、ジョブの実行を待機するように設定された該当する画像情報のジョブをジョブ記憶手段Ｃ１２から削除する。
Ｃ４８：印刷状況送信手段（プリント完了情報送信手段）
印刷状況送信手段Ｃ４８は、ジョブの実行状況に応じた印刷状況情報や、ジョブ終了時のプリント完了情報をクライアントパソコンＰＣに送信する。
【００７２】
Ｃ１３′：画像記録手段（画像形成手段）
画像記録手段Ｃ１３′は、実行対象ジョブが待機するように設定されているか否かを判別する実行待機ジョブ判別手段Ｃ１３Ａを有し、画像記録部材Ｐｒ１を作動を制御して、ジョブ記憶手段Ｃ１２に記憶されたジョブを原則的に受信した順に実行し、用紙に画像を記録する。実施例２の画像記録手段Ｃ１３′は、受信順が一番早いジョブが待機するように設定されている場合には、次のジョブを先に実行する。
【００７３】
（実施例２のフローチャートの説明）
次に、実施例２のフローチャートの説明を行うが、実施例１のフローチャートと同様の処理には同一のステップ（ＳＴ）番号を付し、詳細な説明は省略する。
【００７４】
（クライアントパソコンＰＣの処理の説明）
（印刷設定処理のフローチャートの説明）
図１１は実施例２のクライアントパソコンに組み込まれた印刷設定プログラムによる印刷設定処理のフローチャートであり、実施例１の図６に対応するフローチャートである。
図１１のフローチャートの各ＳＴ（ステップ）の処理は、コンピュータ本体Ｈ１のハードディスク等に記憶された印刷設定プログラムＰＤに従って行われる。また、この処理はクライアントパソコンＰＣの他の各種処理と並行してマルチタスクで実行される。
図１１に示すフローチャートはクライアントパソコンＰＣにおいて、アプリケーションプログラムＡＰ等の操作により画像情報の印刷の指示により、印刷設定プログラムが起動したときに開始される。
図１１において、実施例１のＳＴ１〜ＳＴ５と同様の処理を実行し、ＳＴ４でイエス（Ｙ）の場合はＳＴ２１を実行する。
ＳＴ２１において、プリンタモニタープログラムＰＭを起動する。そして、ＳＴ１６に進む。
ＳＴ１６において、印刷設定画像２１の表示を終了して、印刷設定プログラムＰＤを終了する。
【００７５】
（画像情報送信制御処理のフローチャートの説明）
図１２は実施例２のクライアントパソコンに組み込まれたプリンタモニタープログラムによる画像情報送信制御処理のフローチャートである。
図１２のフローチャートの各ＳＴ（ステップ）の処理は、コンピュータ本体Ｈ１のハードディスク等に記憶されたプリンタモニタープログラムＰＭに従って行われる。また、この処理はクライアントパソコンＰＣの他の各種処理と並行してマルチタスクで実行される。
図１２に示すフローチャートはクライアントパソコンＰＣにおいて、印刷設定プログラムＰＤにより、プリンタモニタープログラムＰＭが起動されたときに開始される。
【００７６】
図１２のＳＴ３１において、プリンタモニター画像３１をディスプレイＨ２に表示する。そして、ＳＴ３２に進む。
ＳＴ３２において、選択されたプリンタＰｒに画像情報と、クライアントパソコンＰＣのネットワーク情報（ＩＰアドレス）を送信する。そして、ＳＴ３３に進む。
ＳＴ３３において、サブネット不一致情報を受信したか否か、すなわち、サブネットが不一致であったか否かを判別する。イエス（Ｙ）の場合はＳＴ３４に進み、ノー（Ｎ）の場合はＳＴ４０に進む。
ＳＴ３４において、プリンタモニター画像３１の状況表示欄３２にサブネットワーク不一致画像２１′を表示する。そして、ＳＴ３５に進む。
【００７７】
ＳＴ３５において、プリントを実行する入力、すなわち、サブネットワーク不一致画像２１′で「Ｙｅｓ」のアイコン２２′を選択する入力がされたか否かを判別する。イエス（Ｙ）の場合はＳＴ３６に進み、ノー（Ｎ）の場合はＳＴ３７に進む。
ＳＴ３６において、プリント実行情報をプリンタＰｒに送信する。そして、ＳＴ３９に進む。
ＳＴ３７において、プリントの取消を指示する入力、すなわち、サブネットワーク不一致画像２１′で「Ｎｏ」のアイコン２３′を選択する入力がされたか否かを判別する。イエス（Ｙ）の場合はＳＴ３８に進み、ノー（Ｎ）の場合はＳＴ３５に戻る。
ＳＴ３８において、プリント取消情報をプリンタＰｒに送信する。そして、ＳＴ３９に進む。
ＳＴ３９において、サブネットワーク不一致画像２１′の表示を終了する。そして、ＳＴ３３に戻る。
【００７８】
ＳＴ４０において、プリンタＰｒから送信されたプリント完了情報を受信したか否かを判別する。イエス（Ｙ）の場合はＳＴ４１に進み、ノー（Ｎ）の場合はＳＴ４２に進む。
ＳＴ４１において、プリンタモニター画像３１の表示を終了して、プリンタモニタープログラムＰＭを終了する。
ＳＴ４２において、プリンタＰｒから送信された印刷状況情報を受信したか否かを判別する。イエス（Ｙ）の場合はＳＴ４３に進み、ノー（Ｎ）の場合はＳＴ４４に進む。
ＳＴ４３において、受信した情報に応じてプリンタモニター画像３１の状況表示欄３２の表示を更新する。そして、ＳＴ３３に戻る。
ＳＴ４４において、その他（各種設定等）の入力がされたか否かを判別する。イエス（Ｙ）の場合はＳＴ４５に進み、ノー（Ｎ）の場合はＳＴ３３に戻る。
ＳＴ４５において、入力に応じた処理を実行しＳＴ３３に戻る。
【００７９】
（プリンタＰｒの処理の説明）
（データ受信及びサブネット一致判別処理のフローチャートの説明）
図１３は実施例２のプリンタのデータ受信及びサブネット一致判別処理のフローチャートである。
図１３のフローチャートの各ＳＴ（ステップ）の処理は、プリンタＰｒのＲＯＭやハードディスク等に記憶されたプログラムに従って行われる。また、この処理はプリンタＰｒの他の各種処理と並行してマルチタスクで実行される。
図１３に示すフローチャートはプリンタＰｒの電源オンにより開始される。
【００８０】
図１３のＳＴ５１において、画像情報を受信したか否かを判別する。イエス（Ｙ）の場合はＳＴ５２に進み、ノー（Ｎ）の場合はＳＴ５８に進む。
ＳＴ５２において、受信した画像情報をジョブ記憶手段Ｃ１２に記憶する。そして、ＳＴ５３に進む。
ＳＴ５３において、受信した情報から画像情報を送信したクライアントパソコンＰＣのネットワーク情報（ＩＰアドレス）を取得する。そして、ＳＴ５４に進む。
ＳＴ５４において、プリンタＰｒのネットワーク情報（ＩＰアドレスおよびサブネットマスク）を所得する。そして、ＳＴ５５に進む。
ＳＴ５５において、次の処理（１）、（２）を実行し、ＳＴ５６に進む。
（１）クライアントパソコンＰＣのＩＰアドレスおよびプリンタＰｒのサブネットマスクからクライアントパソコンＰＣが接続されたサブネットのネットワークアドレスを演算し、サブネットワーク３，４を特定する。
（２）プリンタＰｒのＩＰアドレスおよびサブネットマスクからプリンタＰｒが接続されたサブネットのネットワークアドレスを演算し、サブネットワーク３，４を特定する。
【００８１】
ＳＴ５６において、クライアントパソコンＰＣのサブネットのネットワークアドレスと、プリンタＰｒのサブネットのネットワークアドレスが一致するか否かを判別する。ノー（Ｎ）の場合はＳＴ５７に進み、イエス（Ｙ）の場合はＳＴ５１に戻る。
ＳＴ５７において、次の処理（１）、（２）を実行し、ＳＴ５１に戻る。
（１）サブネット不一致情報を画像情報を送信したクライアントパソコンＰＣに送信する。
（２）該当する画像情報のジョブを実行待機ジョブに設定する。
【００８２】
ＳＴ５８において、プリント実行情報を受信したか否かを判別する。イエス（Ｙ）の場合はＳＴ５９に進み、ノー（Ｎ）の場合はＳＴ６０に進む。
ＳＴ５９において、実行待機ジョブに設定されている該当する画像情報のジョブの実行待機の設定を解除する。そして、ＳＴ５１に戻る。
ＳＴ６０において、プリント取消情報を受信したか否かを判別する。イエス（Ｙ）の場合はＳＴ６１に進み、ノー（Ｎ）の場合はＳＴ５１に戻る。
ＳＴ６１において、実行待機ジョブに設定されている該当する画像情報のジョブをジョブ記憶手段Ｃ１２から削除する。そして、ＳＴ５１に戻る。
【００８３】
（ジョブ実行処理のフローチャートの説明）
図１４は実施例２のプリンタのジョブ実行処理のフローチャートである。
図１４のフローチャートの各ＳＴ（ステップ）の処理は、プリンタＰｒのＲＯＭやハードディスク等に記憶されたプログラムに従って行われる。また、この処理はプリンタＰｒの他の各種処理と並行してマルチタスクで実行される。
図１４に示すフローチャートはプリンタＰｒの電源オンにより開始される。
【００８４】
図１４のＳＴ７１において、ジョブ記憶手段Ｃ１２に残っているジョブがあるか否かを判別する。イエス（Ｙ）の場合はＳＴ７２に進み、ノー（Ｎ）の場合はＳＴ７１を繰り返す。
ＳＴ７２において、受信順が一番早いジョブを実行対象ジョブに設定する。そして、ＳＴ７３に進む。
ＳＴ７３において、実行対象ジョブに実行待機の設定がされているか否かを判別する。イエス（Ｙ）の場合はＳＴ７４に進み、ノー（Ｎ）の場合はＳＴ７６に進む。
ＳＴ７４において、受信順が次に早いジョブがあるか否かを判別する。イエス（Ｙ）の場合はＳＴ７５に進み、ノー（Ｎ）の場合はＳＴ７１に戻る。
ＳＴ７５において、受信順が次に早いジョブを実行対象ジョブに設定する。そして、ＳＴ７３に戻る。
【００８５】
ＳＴ７６において、実行対象ジョブの印刷を開始する。そして、ＳＴ７７に進む。
ＳＴ７７において、ジョブが終了したか否かを判別する。イエス（Ｙ）の場合はＳＴ７８に進み、ノー（Ｎ）の場合はＳＴ７９に進む。
ＳＴ７８において、印刷状況に応じた印刷状況情報を実行中のジョブの画像情報を送信したクライアントパソコンＰＣに送信する。そして、ＳＴ７７に戻る。
ＳＴ７９において、次の処理（１）、（２）を実行して、ＳＴ７１に戻る。
（１）完了したジョブの画像情報をジョブ記憶手段Ｃ１２から削除する。
（２）プリント完了情報を対象のクライアントパソコンＰＣに送信する。
【００８６】
（実施例２の作用）
前記構成を備えた実施例２のプリントシステムＳでは、サブネットワーク３，４が一致するか否かをプリンタＰｒ側で判別し、サブネットワーク３，４が一致しない場合には、プリント前にユーザに通知される。したがって、実施例２のプリントシステムＳも実施例１と同様の作用効果を有する。
また、実施例２のプリントシステムＳでは、サブネットワーク３，４が一致しない場合に、該当ジョブの実行を保持した状態で待機してユーザの指示を待ち、その間、他のクライアントパソコンＰＣから画像情報を受信した場合には、待機しているジョブを飛ばして後から受信した画像情報のプリントを実行する。したがって、特定のユーザが指示を出さないために他のユーザのプリントアウトができないという状況を回避することができる。
【産業上の利用可能性】
【００８７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ08）を下記に例示する。
（Ｈ01）前記実施例において、ネットワークＮ上に接続された機器の構成は、上記実施例に限定されず、ネットワークスキャナやデータベースサーバ、ワークステーション等を接続することも可能であり、複数の画像形成装置が接続されていても何ら問題はない。さらに、ネットワークに接続されたプリンタＰｒに限定されず、プリンタサーバを介してネットワークに接続された画像形成装置を使用することも可能であり、この場合、プリンタサーバに割り当てられたＩＰアドレス等に基づいてサブネットワークの一致判別を行ったり、サブネットワークが一致するか否かの判別をプリンタサーバで行ったりすることもできる。
【００８８】
（Ｈ02）前記実施例２において、サブネットワークが一致するか否かに関わらずクライアントパソコンＰＣから画像情報を送信するように構成したが、これに限定されず、例えば、まず、クライアントパソコンＰＣからＩＰアドレスのみを送信して、プリンタがサブネットワークが一致するか否かの判別を行い、判別結果を受信した後でクライアントパソコンＰＣから画像情報を送信するように構成することも可能である。
（Ｈ03）前記実施例において、サブネットワークの一致を判別するためにＩＰアドレスとサブネットマスクを使用したが、これに限定されず、例えば、ウィンドウズ（登録商標）で使用されているワークグループや、ＡｐｐｌｅＴａｌｋ（登録商標）で使用されているゾーン等により構成されたサブネットワークにより複数に区分されるネットワークにおいて、前記ワークグループやゾーンが一致するか否かに基づいて、サブネットワークが一致するか否かの判別を行う用に構成することも可能である。
【００８９】
（Ｈ04）前記実施例において、サブネットマスクは、サブネットワークの一致を判別する機器のサブネットマスクを使用したが、これに限定されず、ＩＰアドレスを送信する際にサブネットマスクの情報も送信し、判別に利用することも可能である。
（Ｈ05）前記実施例において、サブネットワーク３，４は、イントラネットで構成したが、これに限定されず、インターネット回線１を介してサブネットワークを構成することも可能である。
（Ｈ06）前記実施例において、ユーザへの告知は画像の表示により行ったが、これに限定されず、警告音や音声ガイダンス、あるいはこれらの組み合わせ等、任意の告知方法で告知することが可能である。
【００９０】
（Ｈ07）前記実施例において、ＩＰアドレス等はＤＨＣＰ（dynamic host configuration protocol）で自動的に割り当てたが、ＤＨＣＰを使用せず、固定のＩＰアドレスやサブネットマスクを手動で設定することも可能である。また、ＩＰアドレスやサブネットマスク等の具体的な数値は、前記値に限定されず、変更可能である。
（Ｈ08）前記実施例において、サブネットワークが一致するか否かの判別を行う際に、異なるサブネットワークであっても、例えば、ユーザが設定した特定のサブネットワークである場合には、告知を行わないように構成することも可能である。
【図面の簡単な説明】
【００９１】
【図１】図１は本発明の実施例１のプリントシステムの全体説明図である。
【図２】図２は実施例１の画像情報送信装置としてのクライアントパソコンの制御部分が備えている各機能をブロック図（機能ブロック図）で示した図である。
【図３】図３は実施例１の印刷設定画像の説明図である。
【図４】図４は実施例１のサブネットワーク不一致画像の説明図である。
【図５】図５は、実施例１の画像形成装置としてのプリンタ（複合機）の制御部分が備えている各機能をブロック図（機能ブロック図）で示した図である。
【図６】図６は実施例１のクライアントパソコンに組み込まれた印刷設定プログラムによる印刷設定および画像情報送信制御処理のフローチャートである。
【図７】図７は実施例２の画像情報送信装置としてのクライアントパソコンの制御部分が備えている各機能をブロック図（機能ブロック図）で示した図であり、実施例１の図２に対応する図である。
【図８】図８は実施例２のプリンタモニター画像の説明図である。
【図９】図９は実施例２のサブネットワーク不一致画像を有するプリンタモニター画像の説明図である。
【図１０】図１０は、実施例２の画像形成装置としてのプリンタ（複合機）の制御部分が備えている各機能をブロック図（機能ブロック図）で示した図であり、実施例１の図５に対応する図である。
【図１１】図１１は実施例２のクライアントパソコンに組み込まれた印刷設定プログラムによる印刷設定処理のフローチャートであり、実施例１の図６に対応するフローチャートである。
【図１２】図１２は実施例２のクライアントパソコンに組み込まれたプリンタモニタープログラムによる画像情報送信制御処理のフローチャートである。
【図１３】図１３は実施例２のプリンタのデータ受信及びサブネット一致判別処理のフローチャートである。
【図１４】図１４は実施例２のプリンタのジョブ実行処理のフローチャートである。
【符号の説明】
【００９２】
３，４…サブネットワーク、
Ｃ５，Ｃ５′，Ｃ４２…サブネットワーク一致判別手段、
Ｃ５Ａ，Ｃ４２Ａ…送信装置サブネットワーク特定手段、
Ｃ５Ｂ，Ｃ４２Ｂ…画像形成装置サブネットワーク特定手段、
Ｃ５Ｃ…不一致情報受信手段、
Ｃ６，Ｃ６′…サブネットワーク不一致告知手段、
Ｃ１１′…画像情報受信手段、
Ｃ１３′…画像形成手段、
Ｃ４２Ｃ…不一致情報送信手段、
Ｎ…ネットワーク、
ＰＣ…画像情報送信装置、
Ｐｒ…画像形成装置、
Ｓ…プリントシステム。
【図１】
2007148679.tif 000003
【図２】
2007148679.tif 000004
【図３】
2007148679.tif 000005
【図４】
2007148679.tif 000006
【図５】
2007148679.tif 000007
【図６】
2007148679.tif 000008
【図７】
2007148679.tif 000009
【図８】
2007148679.tif 000010
【図９】
2007148679.tif 000011
【図１０】
2007148679.tif 000012
【図１１】
2007148679.tif 000013
【図１２】
2007148679.tif 000014
【図１３】
2007148679.tif 000015
【図１４】
2007148679.tif 000016